【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
撮像制御装置であって、
表示手段に対するタッチを検出するタッチ検出手段と、
前記撮像制御装置の姿勢を検知する姿勢検知手段と、
前記姿勢検知手段により検知された前記撮像制御装置の姿勢が所定の変化をすると、前記表示手段に表示している撮像に関する表示アイテムの表示位置を変更するように制御する表示制御手段と、
前記表示手段上に表示された前記表示アイテムへのタッチの開始が検出されたことに応じては前記表示アイテムに対応する処理を実行せず、
前記表示アイテムへのタッチがされている状態で前記撮像制御装置の姿勢が前記所定の変化をすることなく前記表示アイテムへのタッチが離されたことに応じて前記処理を実行し、
前記表示アイテムへのタッチがされている状態で前記撮像制御装置の姿勢が前記所定の変化をしてから、前記所定の変化の前から前記タッチ検出手段で検出されていたタッチが離されても前記処理を行わないように制御する制御手段と
を有することを特徴とする撮像制御装置。
【請求項２】
前記制御手段は、前記撮像制御装置の姿勢が前記所定の変化をすると、前記所定の変化の前から前記タッチ検出手段で検出されていたタッチがタッチを離すことなく移動する操作に基づいた処理を行わないように制御することを特徴とする請求項１に記載の撮像制御装置。
【請求項３】
前記制御手段は、前記表示アイテムへのタッチがされた後に、前記撮像制御装置の姿勢が変わらないまま、前記表示アイテムからのタッチが離されたことに応じて、前記処理を行うように制御することを特徴とする請求項１または２に記載の撮像制御装置。
【請求項４】
前記制御手段は、前記撮像制御装置の姿勢が前記所定の変化をすると、前記所定の変化の前から前記タッチ検出手段で検出されていたタッチが継続することに基づいた処理を行わないように制御することを特徴とする請求項１乃至３のいずれか１項に記載の撮像制御装置。
【請求項５】
撮像手段を更に有し、
前記制御手段は、前記所定の変化の前から前記タッチ検出手段で検出されていたタッチによるタッチ操作が、前記撮像手段での撮像を指示するための操作であった場合には、前記所定の変化があった場合にも、前記所定の変化の前から継続するタッチ操作に応じた撮影を行うように制御することを特徴とする請求項１乃至４のいずれか１項に記載の撮像制御装置。
【請求項６】
前記タッチ検出手段で、前記撮像を指示するためのタッチが離されたことを検出すると、前記撮像手段で画像を撮影し、撮影された画像を画像ファイルとして記録するように制御する撮影制御手段を更に有することを特徴とする請求項５に記載の撮像制御装置。
【請求項７】
前記撮影制御手段は、前記タッチ検出手段でタッチされたことを検出するとタッチ位置に基づいてオートフォーカスを含む撮影準備処理を行い、該タッチが離されたことを検出すると撮影を行うように制御することを特徴とする請求項６に記載の撮像制御装置。
【請求項８】
前記表示制御手段は、前記表示アイテムのいずれかがタッチされた場合には、タッチされた表示アイテムの表示形態をタッチ中であることを示す表示形態に変更し、該タッチが継続したまま、前記撮像制御装置の姿勢が前記所定の変化をすると、タッチされた表示アイテムの表示形態をタッチ中であることを示す表示形態から、タッチされる前の表示形態に変更することを特徴とする請求項１乃至７のいずれか１項に記載の撮像制御装置。
【請求項９】
撮像手段と、
前記タッチ検出手段でタッチされたことを検出すると、タッチ位置に基づいてＡＦ枠を設定して表示するように制御する設定手段を更に有し、
前記制御手段は、前記撮像制御装置の姿勢が前記所定の変化をすると、前記所定の変化の前から前記タッチ検出手段で継続して検出されていたタッチに基づいて設定された前記ＡＦ枠をキャンセルして非表示とするように制御することを特徴とする請求項１乃至４のいずれか１項に記載の撮像制御装置。
【請求項１０】
前記表示制御手段は、撮像されて表示されているライブビュー画像は、前記撮像制御装置の姿勢が前記所定の変化をしても表示位置と向きを変更しないことを特徴とする請求項１乃至９のいずれか１項に記載の撮像制御装置。
【請求項１１】
前記所定の変化は、前記撮像制御装置の姿勢が上下反転する変化であることを特徴とする請求項１乃至１０のいずれか１項に記載の撮像制御装置。
【請求項１２】
前記所定の変化は、前記撮像制御装置の姿勢が縦と横の一方の姿勢から他方の姿勢への変化であることを特徴とする請求項１乃至１０のいずれか１項に記載の撮像制御装置。
【請求項１３】
前記姿勢検知手段は、前記撮像制御装置の重力方向に対する姿勢を検知することを特徴とする請求項１乃至１２のいずれか１項に記載の撮像制御装置。
【請求項１４】
前記制御手段は、前記表示アイテムへのタッチがされた後に、前記撮像制御装置の姿勢が前記所定の変化をしたことに応じて、前記タッチをキャンセルするように制御することを特徴とする請求項１乃至１３のいずれか１項に記載の撮像制御装置。
【請求項１５】
撮像制御装置であって、
表示手段に対するタッチを検出するタッチ検出手段と、
前記撮像制御装置の第一の姿勢と、第二の姿勢と、第三の姿勢とを少なくとも検知する姿勢検知手段と、前記撮像制御装置の姿勢が前記第一の姿勢から前記第二の姿勢に変わった場合には、表示手段に表示している撮像に関する表示アイテムの表示位置を変更し、
前記撮像制御装置の姿勢が前記第一の姿勢から前記第三の姿勢に変わった場合には、表示手段に表示している前記表示アイテムの表示位置を変更しないように制御する表示制御手段と、
前記表示手段に表示された前記表示アイテムへのタッチの開始が検出されたことに応じては前記表示アイテムに関する処理を実行せず、
前記表示アイテムへのタッチがされた後に、前記撮像制御装置の姿勢が前記第一の姿勢から前記第三の姿勢に変わっても、前記表示アイテムからの前記タッチが離されたことに応じて前記処理を実行し、
前記アイテムへのタッチがされた後に、前記撮像制御装置の姿勢が前記第一の姿勢から前記第二の姿勢に変わり、前記表示アイテムからの前記タッチが離されても、前記処理を実行しないように制御する制御手段とを有することを特徴とする撮像制御装置。
【請求項１６】
前記第二の姿勢は、前記第一の姿勢とは１８０°異なる姿勢であり、前記第三の姿勢は、前記第一の姿勢とは９０°異なる姿勢であることを特徴とする請求項１５に記載の撮像制御装置。
【請求項１７】
前記表示アイテムは、撮影に関する情報表示を切り替えるための情報表示切替アイコンであることを特徴とする請求項１乃至１６のいずれか１項に記載の撮像制御装置。
【請求項１８】
前記表示制御手段が、前記表示手段において、撮像手段で撮像されたライブビュー画像に重畳して前記表示アイテムを表示するように制御することを特徴とする請求項１乃至１７のいずれか１項に記載の撮像制御装置。
【請求項１９】
前記撮像制御装置は、前記表示手段を有することを特徴とする請求項１乃至１８のいずれか１項に記載の撮像制御装置。
【請求項２０】
撮像制御装置の制御方法であって、
表示手段に対するタッチを検出するタッチ検出ステップと、
前記撮像制御装置の姿勢を検知する姿勢検知ステップと、
前記姿勢検知ステップでの検知に基づいて、前記撮像制御装置の姿勢が所定の変化をすると、前記表示手段に表示している撮像に関する表示アイテムの表示位置を変更するように制御する表示制御ステップと、
前記表示手段上に表示された前記表示アイテムへのタッチの開始が検出されたことに応じては前記表示アイテムに対応する処理を実行せず、
前記表示アイテムへのタッチがされている状態で前記撮像制御装置の姿勢が前記所定の変化をすることなく前記表示アイテムへのタッチが離されたことに応じて前記処理を実行し、
前記表示アイテムへのタッチがされている状態で前記撮像制御装置の姿勢が前記所定の変化をしてから前記所定の変化の前から前記タッチ検出ステップで検出されていたタッチが離されても前記処理を行わないように制御する制御ステップと
を有することを特徴とする撮像制御装置の制御方法。
【請求項２１】
撮像制御装置の制御方法であって、
表示手段に対するタッチを検出するタッチ検出ステップと、
前記撮像制御装置の第一の姿勢と、第二の姿勢と、第三の姿勢とを少なくとも検知する姿勢検知ステップと、
前記撮像制御装置の姿勢が前記第一の姿勢から前記第二の姿勢に変わった場合には、表示手段に表示している撮像に関する表示アイテムの表示位置を変更し、
前記撮像制御装置の姿勢が前記第一の姿勢から前記第三の姿勢に変わった場合には、表示手段に表示している前記表示アイテムの表示位置を変更しないように制御する表示制御ステップと、
前記表示手段に表示された前記表示アイテムへのタッチの開始が検出されたことに応じては前記表示アイテムに関する処理を実行せず、
前記表示アイテムへのタッチがされた後に、前記撮像制御装置の姿勢が前記第一の姿勢から前記第三の姿勢に変わっても、前記表示アイテムからの前記タッチが離されたことに応じて前記処理を実行し、
前記アイテムへのタッチがされた後に、前記撮像制御装置の姿勢が前記第一の姿勢から前記第二の姿勢に変わり、前記表示アイテムからの前記タッチが離されても、前記処理を実行しないように制御する制御ステップとを有することを特徴とする撮像制御装置の制御方法。
【請求項２２】
コンピュータを、請求項１乃至１９のいずれか１項に記載された撮像制御装置の各手段として機能させるためのプログラム。
【請求項２３】
コンピュータを、請求項１乃至１９のいずれか１項に記載された撮像制御装置の各手段として機能させるためのプログラムを格納したコンピュータが読み取り可能な記憶媒体。
【手続補正２】
【補正対象書類名】明細書
【補正対象項目名】発明の名称
【補正方法】変更
【補正の内容】
【発明の名称】撮像制御装置及びその制御方法
【手続補正３】
【補正対象書類名】明細書
【補正対象項目名】０００７
【補正方法】変更
【補正の内容】
【０００７】
本発明は上記課題に鑑み、表示手段に対するタッチ操作を受け付け可能な撮像制御装置であって、表示手段にタッチされたまま撮像制御装置の姿勢が変わった場合にも、よりユーザーの意図に沿った操作が行える撮像制御装置を提供することを目的とする。
【手続補正４】
【補正対象書類名】明細書
【補正対象項目名】０００８
【補正方法】変更
【補正の内容】
【０００８】
上記課題を解決するため、請求項１記載の発明によれば、撮像制御装置は、表示手段に対するタッチを検出するタッチ検出手段と、前記撮像制御装置の姿勢を検知する姿勢検知手段と、前記姿勢検知手段により検知された前記撮像制御装置の姿勢が所定の変化をすると、表示手段に表示している撮像に関する表示アイテムの表示位置を変更するように制御する表示制御手段と、前記表示手段上に表示された前記表示アイテムへのタッチの開始が検出されたことに応じては前記表示アイテムに対応する処理を実行せず、前記表示アイテムへのタッチがされている状態で前記撮像制御装置の姿勢が前記所定の変化をすることなく前記表示アイテムへのタッチが離されたことに応じて前記処理を実行し、前記表示アイテムへのタッチがされている状態で前記撮像制御装置の姿勢が前記所定の変化をしてから、前記所定の変化の前から前記タッチ検出手段で検出されていたタッチが離されても前記処理を行わないように制御する制御手段とを有することを特徴とする。
また、請求項１５の記載の発明によれば、撮像制御装置であって、表示手段に対するタッチを検出するタッチ検出手段と、前記撮像制御装置の第一の姿勢と、第二の姿勢と、第三の姿勢とを少なくとも検知する姿勢検知手段と、前記撮像制御装置の姿勢が前記第一の姿勢から前記第二の姿勢に変わった場合には、表示手段に表示している撮像に関する表示アイテムの表示位置を変更し、前記撮像制御装置の姿勢が前記第一の姿勢から前記第三の姿勢に変わった場合には、表示手段に表示している前記表示アイテムの表示位置を変更しないように制御する表示制御手段と、前記表示手段に表示された前記表示アイテムへのタッチの開始が検出されたことに応じては前記表示アイテムに関する処理を実行せず、前記表示アイテムへのタッチがされた後に、前記撮像制御装置の姿勢が前記第一の姿勢から前記第三の姿勢に変わっても、前記表示アイテムからの前記タッチが離されたことに応じて前記処理を実行し、前記アイテムへのタッチがされた後に、前記撮像制御装置の姿勢が前記第一の姿勢から前記第二の姿勢に変わり、前記表示アイテムからの前記タッチが離されても、前記処理を実行しないように制御する制御手段とを有することを特徴とする。
【手続補正５】
【補正対象書類名】明細書
【補正対象項目名】０００９
【補正方法】変更
【補正の内容】
【０００９】
本発明によれば、表示手段に対するタッチ操作を受け付け可能な撮像制御装置において、表示手段にタッチされたまま撮像制御装置の姿勢が変わった場合にも、よりユーザーの意図に沿った操作を行うことができる。